(57)【要約】【課題】書類に綴じ穴を穿孔する必要がなく、多量の書類を安定して保管し、簡便に書類の抜き挿しと分類を行うことができる事務用ファイル及びその製造方法を提供する。【解決手段】表表紙、裏表紙及び背表紙を有する外表紙と、書類を収納する複数個の合成樹脂フィルム製の内フォルダーとの組み合わせからなる事務用ファイルであって、外表紙の背表紙の内側と内フォルダーの背部とに面ファスナーを備え、該内フォルダーの背部の面ファスナーが、該面ファスナーの裏面に積層固定された内フォルダーと同質の溶着用樹脂フィルムを介して溶着されてなり、外表紙と内フォルダーが面ファスナーにより着脱自在である事務用ファイル、及び、面ファスナーを内フォルダーの背部に溶着する工程、外表紙の背表紙の内側に面ファスナーを接合する工程、及び、面ファスナーを備えた内フォルダーと外表紙を組み合わせる工程を有する事務用ファイルの製造方法。【選択図】図１
2008126635.tif 000002
【特許請求の範囲】
【請求項１】
表表紙、裏表紙及び背表紙を有する外表紙と、書類を収納する複数個の合成樹脂シート製の内フォルダーとの組み合わせからなる事務用ファイルであって、外表紙の背表紙の内側と内フォルダーの背部とに面ファスナーを備え、該内フォルダーの背部の面ファスナーが、該面ファスナーの裏面に積層固定された内フォルダーと同質の溶着用樹脂フィルムを介して溶着されてなり、外表紙と内フォルダーが面ファスナーにより着脱自在であることを特徴とする事務用ファイル。
【請求項２】
溶着用樹脂フィルムが、内フォルダーと同質の合成樹脂フィルムと、面ファスナーの裏面と同質の合成樹脂フィルムとのラミネートフィルムである請求項１記載の事務用ファイル。
【請求項３】
内フォルダーが２枚の略長方形の合成樹脂シートにより形成され、長方形の連続する２辺又は３辺が実質的に封鎖され、長方形の１辺又は連続する２辺が開口されてなり、開口した辺に舌片を有し、該舌片及び該舌片を折り返した位置にそれぞれ内フォルダーと同質の合成樹脂層を介して面ファスナーが溶着され、舌片を該面ファスナーで固定することにより内フォルダーの開口した辺を封鎖する請求項１又は請求項２記載の事務用ファイル。
【請求項４】
内フォルダーを構成する合成樹脂シートが、ポリプロピレンシートである請求項１、請求項２又は請求項３記載の事務用ファイル。
【請求項５】
面ファスナーの裏面に、溶着用樹脂フィルムとして内フォルダーと同質の合成樹脂フィルムを積層固定し、積層固定された合成樹脂フィルムを介して面ファスナーを内フォルダーの背部に溶着する工程、外表紙の背表紙の内側に面ファスナーを接合する工程、及び、面ファスナーを備えた内フォルダーと外表紙を組み合わせる工程を有することを特徴とする事務用ファイルの製造方法。
【請求項６】
溶着用樹脂フィルムとして、面ファスナーの裏面と同質の合成樹脂フィルムと内フォルダーと同質の合成樹脂フィルムとのラミネートフィルムを用い、面ファスナーの裏面と同質の合成樹脂フィルム面を面ファスナーの裏面に接して重ね合わせ、該ラミネートフィルムを溶融することにより、面ファスナーの裏面に内フォルダーと同質の合成樹脂フィルムを積層固定する請求項５記載の事務用ファイルの製造方法。
【発明の詳細な説明】
【技術分野】
【０００１】
本発明は、事務用ファイル及びその製造方法に関する。さらに詳しくは、本発明は、書類に綴じ穴を穿孔する必要がなく、多量の書類を安定して保管し、簡便に書類の抜き挿しと分類を行うことができる事務用ファイル及びその製造方法に関する。
【背景技術】
【０００２】
コンピューターが普及しはじめたころ、いずれ情報の大部分はデータベースに蓄積され、ペーパーレスオフィスが実現するであろうという夢が語られていた。しかし、現実には印刷用紙の生産量が年々増加することからも理解されるように、ペーパーレスオフィスの実現は文字通り夢に終っている。近年の印刷物のビジュアル化により、カラー印刷に適した塗工印刷用紙の消費量が伸び、情報用紙の分野でも、デジタルカメラの普及やプリンターの高性能化に伴って、インクジェット用紙がめざましい成長を遂げている。その結果、オフィスにおける書類の量が増大するとともに、書類の種類も多岐にわたるようになり、膨大な量の書類の整理、分類、保管に多大な労力が費やされている。
オフィスにおける書類の保管には、綴じ具を備えたファイルが用いられ、Ａ列４番たて形の書類には、２穴、４穴、３０穴などのファイルが多用されている。しかし、このようなファイルを用いて書類を保管するときには、書類に綴じ穴を穿孔する必要がある。また、整理した書類をコピーなどの利用のために取り出すときや、内部に綴じた書類に同類の書類を追加して差し入れるときは、綴じ具から書類を抜き取ってから挿し直しを行う必要があって手間がかかる。さらに、２穴ファイルや４穴ファイルでは、綴じ厚が厚くなると綴じ穴が傷みやすく、ファイルを長期間使用していると傷んだ書類の綴じ穴にパンチラベルを貼着して補修しなければならないが、辛気くさい作業である。３０穴ファイルを用いると綴じ穴の傷みは軽減されるが、全ての書類に３０穴の綴じ穴を穿孔する作業には大変な手間がかかる。
書類に綴じ穴を穿孔することなく保管することが可能なファイルに、パンチレスファイルがある。例えば、Ｚ式ファイルとして、レバーを押し下げることにより、綴じ具により書類の側縁を圧着するファイルが市販されている。しかし、この形式のファイルでは、綴じ厚は１６〜２０ｍｍが限度であり、１冊のファイルで多量の書類を整理、保管することはできない。
書類に綴じ穴を穿孔することなく保管することができるファイルには、クリアーファイルもある。クリアーファイルは、透明な合成樹脂フィルム製の複数個のポケットが外表紙に綴じ込まれたファイルであり、書類は整理され各ポケットに分類して保管される。クリアーファイルには、ポケットが外表紙に綴じ込まれた固定式ファイルと、ポケットが１辺に綴じ穴を有し、リング金具などにより外表紙に着脱自在に取り付けられた差し替え式ファイルがある。固定式ファイルでは、いったん整理、分類して保管されている書類群に新しい分類の書類が追加されると、いくつかのポケットの書類を別のポケットへ移動する必要が生ずる。差し替え式ファイルでは、新しい分類の書類が追加されると、リング金具などを開いて新しいポケットを追加することができる。しかし、固定式ファイル、差し替え式ファイルともに、ポケットの開口部は長方形のポケットの１辺のみなので、ポケットに書類を収納し、あるいは、ポケットから書類を取り出す作業性は良好であるとは言いがたい。
本発明者は、先に、紙、合成樹脂シート又は合成紙からなる表紙に、複数枚の書類からなる書類ユニットを複数製本する際において、各書類ユニットが着脱自在な製本方法として、該表紙の背表紙の内側面に、面ファスナーテープを重合せしめたカバー表紙と、面ファスナーテープ又は起毛状構造によりカバー表紙の面ファスナーテープに着脱可能なテープを、複数の書類からなる書類セットの綴じ込み縁部に接着した書類ユニットを複数部カバー表紙に装着することにより、各書類ユニットが着脱自在な製本方法を提案した（特許文献１）。図５は、本提案方法により作製された製本の一例の断面図である。本例の製本は、カバー表紙１９の背表紙の内側面に、接着剤２０を用いて面ファスナー（雄）２１が重合されている。書類はあらかじめステープラー、接着剤層などによって綴じられ、書類ユニット２２とされている。書類ユニットの綴じ込み縁部には、接着剤２０を用いて面ファスナー（雌）２３が接着されている。各書類ユニットは、面ファスナーによりカバー表紙に着脱自在に取り付けられているので、ファイルから任意の書類ユニットを取り出したり、ファイルの中で書類ユニットの順序を入れ替えるような操作は自由に行うことができる。しかし、一つの書類ユニットはステープラーなどにより綴じられていて、書類ユニットの中の数枚を差し替えるためには、書類ユニットの綴じ込み縁部の面ファスナーを剥がし、ステープラーなどによる綴じ込みを外す必要があるので、非常に手間がかかり、ほとんど実施不可能である。
【特許文献１】特開２００４−２０３００２号公報
【発明の開示】
【発明が解決しようとする課題】
【０００３】
本発明は、書類に綴じ穴を穿孔する必要がなく、多量の書類を安定して保管し、簡便に書類の抜き挿しと分類を行うことができる事務用ファイル及びその製造方法を提供することを目的としてなされたものである。
【課題を解決するための手段】
【０００４】
本発明者は、上記の課題を解決すべく鋭意研究を重ねた結果、表(おもて)表紙、裏表紙及び背表紙を有する外表紙と、複数個の合成樹脂シート製の内フォルダーとを組み合わせ、外表紙の背表紙の内側と内フォルダーの背部とに面ファスナーを備え、内フォルダーの背部の面ファスナーが該面ファスナーの裏面に積層固定された内フォルダーと同質の溶着用樹脂フィルムを介して溶着され、外表紙と内フォルダーが面ファスナーにより着脱自在である事務用ファイルは、書類に綴じ穴を穿孔する必要がなく、内フォルダーを一つの書類ユニットとして利用することができ、内フォルダーに収納された書類は自由に抜き取ったり、差し替えたりすることができ、事務用ファイル中の内フォルダーは、任意に抜き出したり、順序を入れ替えたりすることができるので、多量の書類を安定して保管し、簡便に書類の抜き挿しと分類を行うことが可能となることを見いだし、この知見に基づいて本発明を完成するに至った。
すなわち、本発明は、
（１）表表紙、裏表紙及び背表紙を有する外表紙と、書類を収納する複数個の合成樹脂シート製の内フォルダーとの組み合わせからなる事務用ファイルであって、外表紙の背表紙の内側と内フォルダーの背部とに面ファスナーを備え、該内フォルダーの背部の面ファスナーが、該面ファスナーの裏面に積層固定された内フォルダーと同質の溶着用樹脂フィルムを介して溶着されてなり、外表紙と内フォルダーが面ファスナーにより着脱自在であることを特徴とする事務用ファイル、
（２）溶着用樹脂フィルムが、内フォルダーと同質の合成樹脂フィルムと、面ファスナーの裏面と同質の合成樹脂フィルムとのラミネートフィルムである(１)記載の事務用ファイル、
（３）内フォルダーが２枚の略長方形の合成樹脂シートにより形成され、長方形の連続する２辺又は３辺が実質的に封鎖され、長方形の１辺又は連続する２辺が開口されてなり、開口した辺に舌片を有し、該舌片及び該舌片を折り返した位置にそれぞれ内フォルダーと同質の合成樹脂層を介して面ファスナーが溶着され、舌片を該面ファスナーで固定することにより内フォルダーの開口した辺を封鎖する(１)又は(２)記載の事務用ファイル、
（４）内フォルダーを構成する合成樹脂シートが、ポリプロピレンシートである(１)、(２)又は(３)記載の事務用ファイル、
（５）面ファスナーの裏面に、溶着用樹脂フィルムとして内フォルダーと同質の合成樹脂フィルムを積層固定し、積層固定された合成樹脂フィルムを介して面ファスナーを内フォルダーの背部に溶着する工程、外表紙の背表紙の内側に面ファスナーを接合する工程、及び、面ファスナーを備えた内フォルダーと外表紙を組み合わせる工程を有することを特徴とする事務用ファイルの製造方法、及び、
（６）溶着用樹脂フィルムとして、面ファスナーの裏面と同質の合成樹脂フィルムと内フォルダーと同質の合成樹脂フィルムとのラミネートフィルムを用い、面ファスナーの裏面と同質の合成樹脂フィルム面を面ファスナーの裏面に接して重ね合わせ、該ラミネートフィルムを溶融することにより、面ファスナーの裏面に内フォルダーと同質の合成樹脂フィルムを積層固定する(５)記載の事務用ファイルの製造方法、
を提供するものである。
【発明の効果】
【０００５】
本発明の事務用ファイルは、背表紙の内側に面ファスナーを備えた外表紙と背部に面ファスナーを備えた内フォルダーとの組み合わせからなり、外表紙と内フォルダーが面ファスナーにより着脱自在であるので、書類に綴じ穴を穿孔することなく、一つの内フォルダーに関連のある書類を収納して書類ユニットを形成し、ファイルの中で内フォルダーを任意に抜き出したり、順序を入れ替えたりすることができる。そのために、多量の書類を安定して保管し、簡便に書類の抜き挿しと分類を行うことが可能となる。本発明の事務用ファイルは、内フォルダーの背部の面ファスナーが、該面ファスナーの裏面に積層固定された内フォルダーと同質の溶着用樹脂フィルムを介して溶着されているので、内フォルダーと面ファスナーの接着性が良好であり、内フォルダーの外表紙への取り付け、取り外しを繰り返して行っても、内フォルダーの背部の面ファスナーが外れるおそれがない。本発明の事務用ファイルの製造方法によれば、本発明の事務用ファイルを容易かつ経済的に製造することができる。
【発明を実施するための最良の形態】
【０００６】
本発明の事務用ファイルは、表表紙、裏表紙及び背表紙を有する外表紙と、書類を収納する複数個の合成樹脂シート製の内フォルダーとの組み合わせからなる事務用ファイルであって、外表紙の背表紙の内側と内フォルダーの背部とに面ファスナーを備え、該内フォルダーの背部の面ファスナーが、該面ファスナーの裏面に積層固定された内フォルダーと同質の溶着用樹脂フィルムを介して溶着されてなり、外表紙と内フォルダーが面ファスナーにより着脱自在である。
図１は、本発明に用いる外表紙の一態様及び内フォルダーの一態様の斜視図である。本態様の外表紙は、表(おもて)表紙１、裏表紙２及び背表紙３を有し、背表紙の内側に面ファスナー４を備えている。本発明に用いる外表紙の材質に特に制限はなく、例えば、ポリプロピレンシート、発泡ポリプロピレンシート、板紙、ポリプロピレンフィルムを積層した板紙、印刷ボード、パルプボードなどを挙げることができる。外表紙がポリプロピレンシートであるときは、その厚さが０.５〜２ｍｍであることが好ましい。外表紙は、必要に応じて、金属などにより外縁を保護することができる。外表紙の表表紙及び裏表紙の寸法は、収納する書類の寸法及び収納方向に応じて、例えば、Ａ列４番たて形のように、適宜選択することができる。外表紙の綴じ厚は、１５〜１２０ｍｍであることが好ましく、２０〜１００ｍｍであることがより好ましい。綴じ厚が１５ｍｍ未満であると、整理、分類、保管する書類の量が少ないので、従来の事務用ファイルを用いて特に大きい支障なく処理することができる。綴じ厚が１２０ｍｍを超えると、整理、分類、保管する書類の量が多くなって、１冊の事務用ファイルで安定して処理することが困難となるおそれがある。
【０００７】
図１に示す態様の内フォルダーは、背部に面ファスナー５を備え、外表紙の面ファスナー４と内フォルダーの面ファスナー５による接着が可能であり、外表紙と内フォルダーが面ファスナーにより着脱自在である。この内フォルダーは、ほぼ長方形の１枚の合成樹脂シートよりなり、合成樹脂シートが半折されて折り目に相当する部分が内フォルダーの背部となり、この背部に面ファスナーが溶着されている。半折された合成樹脂シートのほぼ長方形の下辺の大部分が溶着線６によって溶着されて封じられ、背部と対向する開口辺の下方約６分の１が同様に溶着線７によって溶着されて封じられている。
本発明に用いる内フォルダーの合成樹脂シートの材質に特に制限はなく、例えば、ポリプロピレンシート、ポリエチレンテレフタレートシート、ポリカーボネートシートなどを挙げることができる。これらの中で、ポリプロピレンシートは、加工性が良好であり、適度な強度と弾性率を有するので、好適に用いることができる。ポリプロピレンシートとしては、無延伸ポリプロピレンシート、二軸延伸ポリプロピレンシートのいずれをも用いることができる。
【０００８】
本発明に用いる内フォルダーの合成樹脂シートの厚さは、０.０５〜０.４ｍｍであることが好ましく、０.１〜０.２ｍｍであることがより好ましい。合成樹脂シートの厚さが０.０５ｍｍ未満であると、内フォルダーの取り扱い作業性と内フォルダーへの書類の差し入れ作業性が低下するおそれがある。合成樹脂シートの厚さが０.４ｍｍを超えると、重量の大きい書類の収納、保管が容易になるが、事務用ファイルの重量が増加し、価格が高くなるおそれがある。収納する書類の種類に応じて、一つの事務用ファイルの中に合成樹脂シートの厚さの異なる内フォルダーを複数種用いることもできる。グラビヤ印刷した合成樹脂フィルムをドライラミネートする場合は、例えば、厚さ５０μｍの無延伸ポリプロピレンフィルムと厚さ５０μｍの二軸延伸ポリプロピレンフィルムとをラミネートすることができる。
本発明に用いる内フォルダーの合成樹脂シートの色調に特に制限はないが、無色透明であることが好ましい。無色透明な合成樹脂シートからなる内フォルダーを用いることにより、収納、保管されている書類の外部からの視認が容易になる。しかし、有色透明な内フォルダーや、有色不透明な内フォルダーなどを用いて、インデックスとして利用することもできる。
【０００９】
図２は、図１に示す外表紙と内フォルダーを組み合わせた一態様を示す切断部端面図である。本態様においては、外表紙８と６個の内フォルダー９が組み合わされ、外表紙の背表紙３の内側に備えられた面ファスナー４と内フォルダーの背部に備えられた面ファスナー５により、内フォルダーが外表紙に着脱自在に取り付けられている。内フォルダーに収納、保管した書類の一部を取り出したり、差し替えたりする必要が生じた場合には、当該内フォルダーを外表紙から取り外し、必要な書類の取り出し、差し替えなどを行ったのち、内フォルダーを元の位置に面ファスナーを利用して取り付けることができる。また、書類の分類の変更などにより、いくつかの内フォルダーの位置関係を変更する必要が生じた場合には、当該内フォルダーを外表紙から取り外し、必要な位置関係の調整を行ったのち、内フォルダーを外表紙内に戻して、面ファスナーを利用して取り付けることができる。
【００１０】
本発明に用いる面ファスナーに特に制限はなく、フックテープとループテープの対、フックテープとナッピングテープの対、マッシュルームテープとループテープの対、マッシュルームテープとナッピングテープの対のいずれをも用いることができる。フックテープ又はマッシュルームテープと、ループテープ又はナッピングテープは、外表紙と内フォルダーのいずれに備えることもできる。
面ファスナーの材質に特に制限はなく、例えば、ポリエステル、ナイロンなどを挙げることができる。本発明に用いる面ファスナーは、ＪＩＳ Ｌ ３４１６にしたがって測定した剥離強さが０.６３〜１.７３Ｎ／ｃｍであることが好ましく、１.０５〜１.４５Ｎ／ｃｍであることがより好ましい。剥離強さが０.６３Ｎ／ｃｍ未満であると、内フォルダーが外表紙から脱落するおそれがある。剥離強さが１.７３Ｎ／ｃｍを超えると、内フォルダーを外表紙から取り外すために大きな力が必要になるとともに、内フォルダーの背部から面ファスナーが外れやすくなるおそれがある。
【００１１】
本発明の事務用ファイルにおいては、内フォルダーの背部の面ファスナーが、該面ファスナーの裏面に積層固定された内フォルダーと同質の溶着用樹脂フィルムを介して溶着されてなる。本発明においては、溶着用樹脂フィルムが、内フォルダーと同質の合成樹脂フィルムと、面ファスナーの裏面と同質の合成樹脂フィルムとのラミネートフィルムであることが好ましい。図３は、内フォルダーの背部への面ファスナーの溶着方法の説明図である。内フォルダーがポリプロピレンシートからなり、面ファスナーがポリエステル製である場合、ポリプロピレンフィルム１０とポリエステルフィルム１１とのラミネートフィルムを作製する。次いで、ポリエステル製の面ファスナー５の裏面とラミネートフィルムのポリエステルフィルム面が接するように、面ファスナーとラミネートフィルムを重ね合わせ、ポリエステルの融点以上に加熱して、面ファスナーとラミネートフィルムを溶着する。この際、線状、斑点状などに加熱して、ラミネートフィルムに非溶着面を残すことが好ましい。図３に示す４態様においては、いずれも溶着線１２において線状に加熱され、非溶着面１３が残されている。ポリプロピレンフィルムとポリエステルフィルムのラミネートフィルムをポリエステルの融点以上に加熱すると、加熱部分のポリプロピレンも溶融し、加熱部分においては、ラミネートフィルムの表面にポリプロピレンフィルムが原状のまま残存しないおそれがある。ラミネートフィルムを線状、斑点状などに加熱することにより、加熱しない部分には非溶着面が残され、非溶着面にはポリプロピレンフィルムが原状のまま残存するので、この部分のポリプロピレンフィルムを利用して、ラミネートフィルムをポリプロピレンシートの内フォルダーに溶着し、内フォルダーの背部に面ファスナーを溶着することができる。
【００１２】
本発明の事務用ファイルにおいては、内フォルダーが２枚の略長方形の合成樹脂シートにより形成され、長方形の連続する２辺又は３辺が実質的に封鎖され、長方形の１辺又は連続する２辺が開口されてなり、開口した辺に舌片を有し、該舌片及び該舌片を折り返した位置にそれぞれ内フォルダーと同質の合成樹脂層を介して面ファスナーが溶着され、舌片を該面ファスナーで固定することにより内フォルダーの開口した辺を封鎖し得ることが好ましい。
図４は、本発明の事務用ファイルに用いる内フォルダーの他の態様の正面図及び裏面図である。本態様の内フォルダーは、略長方形の合成樹脂シートが半折されてなる表側シート１４と裏側シート１５の２枚の略長方形の合成樹脂シートにより形成され、半折の折り目が封鎖された長方形の１辺かつ内フォルダーの背部となり、該内フォルダーの背部に面ファスナー５が取り付けられている。半折の折り目からなる辺に連続する下辺は、溶着線６により表側シートと裏側シートが溶着され、実質的に封鎖されている。実質的に封鎖とは、内フォルダーに収納、保管された書類が、脱落しない程度に封鎖されている状態をいう。半折の折り目からなる辺に対向する辺は、その下方約６分の１のみが溶着線７により表側シートと裏側シートが溶着され、実質的に開口されている。実質的に開口とは、書類を差し入れ、取り出すための空間を有する状態をいう。半折の折り目からなる辺に連続する上辺は、完全に開口されている。
裏側シートは、開口した辺に舌片１６を有し、該舌片及び該舌片を折り返したときに接触する表側シートに、面ファスナー１７及び１８が溶着されている。裏側シートの舌片１６を表側シートの側に折り返すと、面ファスナー１７及び１８により舌片が固定され、開口した上辺が封鎖される。本態様の内フォルダーは、開口した上辺と、半折の折り目からなる辺に対向した実質的に開口した辺の連続する２辺を利用して、書類の差し入れと取り出しを行うことができるので、１辺のみが開口した長方形のフォルダーに比べて、書類の差し入れと取り出しがはるかに容易である。また、書類の差し入れ又は取り出しを行ったのちは、舌片により開口した上辺を封鎖するので、書類が内フォルダーから脱落するおそれがない。
【００１３】
本発明に用いる内フォルダーにおいては、舌片及び該舌片を折り返した位置には、内フォルダーと同種の合成樹脂層を介して面ファスナーを溶着することが好ましい。内フォルダーと同種の合成樹脂層を介して面ファスナーを溶着する方法に特に制限はなく、例えば、内フォルダーと同質の合成樹脂フィルムと、面ファスナーの裏面と同質の合成樹脂フィルムとのラミネートフィルムからなる溶着用樹脂フィルムを介して溶着することができ、あるいは、内フォルダーと同質の合成樹脂フィルムを面ファスナーの裏面に接着したのち、内フォルダーに溶着することもできる。
内フォルダーがポリプロピレンシートからなり、面ファスナーがポリエステル製である場合、あらかじめポリプロピレンフィルムとポリエステルフィルムとのラミネートフィルムからなる溶着用樹脂フィルムを準備し、溶着用樹脂フィルムのポリエステルフィルム面を面ファスナーに溶着したのち、ポリプロピレンフィルム面を内フォルダーの舌片又は内フォルダーに溶着することができる。また、ポリエステル系接着剤を用いてポリプロピレンフィルムを面ファスナーの裏面に接着したのち、ポリプロピレンフィルムが接着された面ファスナーの裏面を、内フォルダーの舌片又は内フォルダーに溶着することもできる。
【００１４】
本発明の事務用ファイルの製造方法は、面ファスナーの裏面に、溶着用樹脂フィルムとして内フォルダーと同質の合成樹脂フィルムを積層固定し、積層固定された合成樹脂フィルムを介して面ファスナーを内フォルダーの背部に溶着する工程、外表紙の背表紙の内側に面ファスナーを接合する工程、及び、面ファスナーを備えた内フォルダーと外表紙を組み合わせる工程を有する。本発明方法において、面ファスナーの裏面に内フォルダーと同質の合成樹脂フィルムを積層固定する方法に特に制限はなく、例えば、面ファスナーの裏面との接着性が良好な接着剤を用いて、面ファスナーの裏面に内フォルダーと同質の合成樹脂フィルムを積層固定することができ、あるいは、溶着用樹脂フィルムとして、面ファスナーの裏面と同質の合成樹脂フィルムと内フォルダーと同質の合成樹脂フィルムとのラミネートフィルムを用い、面ファスナーの裏面と同質の合成樹脂フィルム面を面ファスナーの裏面に接して重ね合わせ、該ラミネートフィルムを溶融することにより、面ファスナーの裏面に内フォルダーと同質の合成樹脂フィルムを積層固定することもできる。これらの中で、溶着用樹脂フィルムを用いる方法は、面ファスナーを内フォルダーの背面に強固に溶着することができるので、好適に用いることができる。
【００１５】
本発明方法において、外表紙の背表紙の内側に面ファスナーを接合する方法に特に制限はなく、外表紙及び面ファスナーの材質、厚さなどに応じて適宜選択することができ、例えば、金属針を用いて接合することができ、接着剤を用いて接着することもでき、あるいは、溶着用樹脂フィルムを用いて溶着することもできる。
本発明方法において、面ファスナーを備えた内フォルダーと外表紙を組み合わせる方法に特に制限はなく、例えば、一つの事務用ファイルの中の複数個の内フォルダーをすべて同一の種類とすることができ、あるいは、少量で軽い書類ユニットのための薄手の合成樹脂シートを用いた内フォルダーと多量で重い書類ユニットのための厚手の合成樹脂シートを用いた内フォルダーを組み合わせることもでき、あるいは、Ａ列４番たて形、Ｂ列５番たて形、Ａ列５番よこ形などの寸法と形状の異なる内フォルダーを組み合わせることもできる。本発明の事務用ファイルは、外表紙への内フォルダーの取り付け、取り外しを面ファスナーにより簡便に着脱自在に行うことができるので、内フォルダーと外表紙の組み合わせを自由に選択し、容易に変更することができる。
【産業上の利用可能性】
【００１６】
本発明の事務用ファイルは、背表紙の内側に面ファスナーを備えた外表紙と背部に面ファスナーを備えた内フォルダーとの組み合わせからなり、外表紙と内フォルダーが面ファスナーにより着脱自在であるので、書類に綴じ穴を穿孔することなく、一つの内フォルダーに関連のある書類を収納して書類ユニットを形成し、ファイルの中で内フォルダーを任意に抜き出したり、順序を入れ替えたりすることができる。そのために、多量の書類を安定して保管し、簡便に書類の抜き挿しと分類を行うことが可能となる。本発明の事務用ファイルは、内フォルダーの背部の面ファスナーが、該面ファスナーの裏面に積層固定された内フォルダーと同質の溶着用樹脂フィルムを介して溶着されているので、内フォルダーと面ファスナーの接着性が良好であり、内フォルダーの外表紙への取り付け、取り外しを繰り返して行っても、内フォルダーの背部の面ファスナーが外れるおそれがない。本発明の事務用ファイルの製造方法によれば、本発明の事務用ファイルを容易かつ経済的に製造することができる。
【図面の簡単な説明】
【００１７】
【図１】本発明に用いる外表紙の一態様及び内フォルダーの一態様の斜視図である。
【図２】外表紙と内フォルダーを組み合わせた一態様を示す切断部端面図である。
【図３】内フォルダーの背部への面ファスナーの溶着方法の説明図である。
【図４】内フォルダーの他の態様の正面図及び裏面図である。
【図５】従来の製本の一例の断面図である。
【符号の説明】
【００１８】
１  表(おもて)表紙
２  裏表紙
３  背表紙
４  面ファスナー
５  面ファスナー
６  溶着線
７  溶着線
８  外表紙
９  内フォルダー
１０  ポリプロピレンフィルム
１１  ポリエステルフィルム
１２  溶着線
１３  非溶着面
１４  表側シート
１５  裏側シート
１６  舌片
１７  面ファスナー
１８  面ファスナー
１９  カバー表紙
２０  接着剤
２１  面ファスナー（雄）
２２  書類ユニット
２３  面ファスナー（雌）
【図１】
2008126635.tif 000003
【図２】
2008126635.tif 000004
【図３】
2008126635.tif 000005
【図４】
2008126635.tif 000006
【図５】
2008126635.tif 000007